(57)【要約】【解決手段】本発明は、主支持柱１に、連結部材３を介して、副支持柱２を連結するとともに、副支持柱に連結部材８を介して、避雷導線７を連結し、また、副支持柱と避雷導線とを連結する連結部材には、導電性棒体１２を上下動可能に支持する導電性棒体用ガイド部材１３が取り付けられているとともに、更に、副支持柱の上端部に配設された絶縁部材４を介して、避雷針６が設置された避雷針用支持部材５には、導電性板部材９が固定されており、導電性板部材には、導電性棒体が上方に移動した際に、導電性棒体の先端が当接する接触端子部材１１を取り付けたものである。【効果】見張り員の配置等を含め、作業員の人数を減らすことができるとともに、作業員の安全性が確保でき、更に、避雷導線の接地抵抗の測定作業に対する労力と時間を、大幅に低減することができる。【選択図】図２
2014057440.tif 000002
【特許請求の範囲】
【請求項１】
主支持柱に、連結部材を介して、副支持柱が連結されているとともに、副支持柱に、連結部材を介して、避雷導線が連結されており、また、副支持柱と避雷導線とを連結する連結部材には、上下動可能な導電性棒体を支持する導電性棒体用ガイド部材が取り付けられているとともに、導電性棒体用ガイド部材には、導電性棒体が絶縁状態で挿入される透孔が形成されており、更に、副支持柱の上端部に配設された絶縁部材を介して、避雷針が設置された避雷針用支持部材には、導電性板部材が固定されており、導電性板部材には、導電性棒体が上方に移動した際に、導電性棒体の先端が当接する接触端子部材が取り付けられていることを特徴とする避雷針接地装置。
【請求項２】
導電性棒体用ガイド部材に、リード線が巻き付けられる滑車部材が取り付けられているとともに、導電性棒体の下端部には、リード線の先端部が緊締されており、また、リード線が、主支持柱或いは大地に設置されたリード線巻き取り部材に巻き付けられていることを特徴とする請求項１に記載の避雷針接地装置。
【発明の詳細な説明】
【技術分野】
【０００１】
本発明は、落雷から、建築物自体や建築物内に配置された電気・通信機器等を保護するために構築される避雷針接地装置に関するものであり、特に、接地電極の接地抵抗を測定するための接地抵抗測定用補助部材が配設された避雷針接地装置に関するものである。
【背景技術】
【０００２】
大地に埋設された接地電極は、経年変化により、接地抵抗が変化する。接地抵抗値が、所定値より大きくなると、過大電流が、接地電極より大地内部に放流された際に、大地の電位上昇が大きくなる可能性がある。そのために、定期的に、接地電極の接地抵抗を測定することが行われている。
【０００３】
測定対象の接地電極の近辺に、２本の補助電極を大地に打設した後に、接地電極及び２本の補助電極を、それぞれ、接地抵抗測定器に接続し、接地抵抗測定器にて、接地電極の接地抵抗を測定するようにした接地抵抗測定装置が、一例として、特許文献１に開示されている。
【０００４】
また、鉄塔の上端に設置された避雷針と、避雷針に接続されているとともに、鉄塔に沿って、下方に延在する避雷導線と、避雷導線に接続されているとともに、大地に埋設された接地電極とからなる避雷針接地装置は、一例として、特許文献２に開示されているように、本出願前、周知である。
【先行技術文献】
【特許文献】
【０００５】
【特許文献１】特開平１１−００２６５０号公報
【０００６】
【特許文献２】特開２００１ー２３７９３号公報
【発明の概要】
【発明が解決しようとする課題】
【０００７】
上述した避雷針接地装置における接地抵抗を測定するためには、測定対象の接地電極の近辺に、２本の補助電極を大地に打設する必要があり、また、鉄塔の上端部に設置された避雷針の台座に配設された避雷導線接続用の接続端子から、避雷導線を取外し、その後、下端部が接地抵抗測定器に接続されているリード線の上端部を、避雷導線の中心導体に接続して、接地電極の接地抵抗を測定することになる。
【０００８】
上述したように、接地電極の接地抵抗を測定するためには、鉄塔の上端部に配置された避雷針の台座に配設された避雷導線接続用の接続端子から、避雷導線を取り外し、その後、下端部が接地抵抗測定器に接続されているリード線の上端部を、避雷導線の中心導体に接続する等の作業を、鉄塔の上端部の高所位置において行う必要があり、また、このような高所において作業する作業員の安全を確保するための見張り員や、地上において、接地抵抗を測定する作業員等を含め、多くの作業員を配置する必要がある。このように、接地電極の接地抵抗の測定作業には、作業員の安全に対して十分な配慮が必要になるとともに、作業員の鉄塔への昇り降りを含め、多大な時間と労力が必要になるという問題がある。
【０００９】
また、避雷導線の中心導体に接続する等の鉄塔の上端部での高所作業が行える熟練作業員を手配する必要があり、このような熟練作業員の手配や調整等に、多大な時間と労力が必要になるという問題がある。
【００１０】
本発明の目的は、上述した従来の避雷針接地装置が有する課題を解決することにある。
【課題を解決するための手段】
【００１１】
本発明は、上述した目的を達成するために、避雷針接地装置において、第１には、主支持柱に、連結部材を介して、副支持柱を連結するとともに、副支持柱に連結部材を介して、避雷導線を連結し、また、副支持柱と避雷導線とを連結する連結部材には、上下動可能な導電性棒体を支持する導電性棒体用ガイド部材が取り付けられているとともに、導電性棒体用ガイド部材には、導電性棒体が絶縁状態で挿入される透孔が形成されており、更に、副支持柱の上端部に配設された絶縁部材を介して、避雷針が設置された避雷針用支持部材には、導電性板部材が固定されており、導電性板部材には、導電性棒体が上方に移動した際に、導電性棒体の先端が当接する接触端子部材を取り付けたものであり、第２には、導電性棒体用ガイド部材に、リード線が巻き付けられる滑車部材を取り付けるとともに、導電性棒体の下端部には、リード線の先端部が緊締されており、また、リード線を、主支持柱或いは大地に設置されたリード線巻き取り部材に巻き付けるようにしたものである。
【発明の効果】
【００１２】
本発明は、上述した構成を有しているので、以下に記載する効果を奏することができる。
【００１３】
上述したように、主支持柱に、連結部材を介して、副支持柱を連結するとともに、副支持柱に連結部材を介して、避雷導線を連結し、また、副支持柱と避雷導線とを連結する連結部材には、上下動可能な導電性棒体を支持する導電性棒体用ガイド部材が取り付けられているとともに、導電性棒体用ガイド部材には、導電性棒体が絶縁状態で挿入される透孔が形成されており、更に、副支持柱の上端部に配設された絶縁部材を介して、避雷針が設置された避雷針用支持部材には、導電性板部材が固定されており、導電性板部材には、導電性棒体が上方に移動した際に、導電性棒体の先端が当接する接触端子部材を取り付けたことにより、作業員が、鉄塔に昇り、導電性板部材に配置された避雷導線用接続端子と避雷導線との接続状態を解除したり、再接続する必要がなく、地上で、避雷導線の接地抵抗の測定を行なうことができるので、見張り員の配置等を含め、作業員の人数を減らすことができるとともに、作業員の安全性が確保でき、更に、避雷導線の接地抵抗の測定作業に対する労力と時間を、大幅に低減することができる。
【００１４】
導電性棒体用ガイド部材に、リード線が巻き付けられる滑車部材を取り付けるとともに、導電性棒体の下端部には、リード線の先端部が緊締されており、また、リード線を、主支持柱或いは大地に設置されたリード線巻き取り部材に巻き付けるようにしたので、導電性棒体を上方に移動し、導電性棒体の先端を、接触端子部材に接触させ、容易に、且つ、迅速に、接触抵抗の測定を行なうことができる。
【図面の簡単な説明】
【００１５】
【図１】図１は、本発明の避雷針接地装置の一部断面を含む部分正面図である。
【図２】図２は、本発明の避雷針接地装置の一部断面を含む全体正面図である。
【図３】図３は、本発明の避雷針接地装置の部分分解斜視図である。
【図４】図４は、図３に示されている本発明の避雷針接地装置が組み立てられた状態の斜視図である。
【図５】図５は、本発明の避雷針接地装置の部分分解斜視図である。
【図６】図６は、本発明の避雷針接地装置を構成する導電性棒体用ガイド部材に配設された滑車部材の斜視図である。
【図７】図７は、本発明の避雷針接地装置の部分斜視図である。
【図８】図８は、本発明の避雷針接地装置の一部断面を含む全体正面図である。
【実施例】
【００１６】
以下に、本発明の実施例について説明するが、本発明の趣旨を越えない限り、何ら、実施例に限定されるものではない。
【００１７】
先ず最初に、図１を用いて、本発明の避雷針接地装置の全体構成について概説する。
【００１８】
１は、大地Ｇに、その下部部分が埋設された主支持柱であり、２は、主支持柱１に、適当数の主支持柱・副支持柱連結部材３により連結された副支持柱であり、副支持柱２の下端部は、大地Ｇまで達することがないように構成されている。４は、副支持柱２の上端部に配設された碍子等の絶縁部材であり、５は、避雷針用支持部材であり、避雷針用支持部材５の上端部には、避雷針６が設置されている。
【００１９】
７は、中心導体と中心導体を被覆する絶縁体等からなる公知の避雷導線であり、避雷導線７は、適当数の副支持柱・避雷導線連結部材８により、副支持柱２に連結されている。また、９は、避雷針用支持部材５に固定された水平状の導電性板部材であり、避雷導線７の上部の絶縁被覆体が剥離された避雷導線７の上部中心導体７ａは、導電性板部材９の先端部付近に、公知の耐雷ケーブル用接続端子１０により接続することにより、導電性板部材９に、避雷導線７が取り付けられている。更に、避雷導線７を、主支持柱１及び副支持柱２に沿って下方に延在させるとともに、避雷導線７の下部領域を大地Ｇに埋設することになるが、公知のように、大地Ｇに埋設された避雷導線７の適当な長さの下部領域の絶縁被覆体を剥離することにより、大地Ｇに埋設された、接地電極としての下部中心導体７ｂが形成されている。
【００２０】
避雷針用支持部材５と避雷導線用接続端子１０との間に位置する導電性板部材９には、接触端子部材１１が、ボルト・ナット等の適当な固着手段により取り付けられている。
【００２１】
１２は、副支持柱２に沿って上下動可能な導電性棒体であり、副支持柱２と避雷導線７とを連結する副支持柱・避雷導線連結部材８には、導電性棒体１２が上下方向に移動した際に、導電性棒体１２が安定した状態で上下動するように案内するとともに、導電性棒体１２が挿入される透孔が形成された導電性棒体用ガイド部材１３が取り付けられている。また、導電性棒体用ガイド部材１３の、少なくとも、導電性棒体１２が接触する部分は、絶縁材で形成されている。
【００２２】
また、導電性棒体１２が、導電性棒体用ガイド部材１３に形成された、導電性棒体１２が挿入される透孔を通過して、導電性棒体１２が、導電性棒体用ガイド部材１３から外れて落下しないように、導電性棒体１２には、ストッパー１２ａが取り付けられている。本実施例には、図１に示されているように、最上部に位置する導電性棒体用ガイド部材１３の導電性棒体１２に、ストッパー１２ａが取り付けられている例が示されているが、最上部に位置する導電性棒体用ガイド部材１３以外の導電性棒体１２に、ストッパー１２ａを取り付けることもできる。なお、Ｂは、主支持柱１に取り付けられた公知の締結バンドであり、締結バンドＢの先端部には、公知の避雷導線７を把持する公知のサドルｂ１が取り付けられている。
【００２３】
Ｐは、最下部に位置する副支持柱・避雷導線連結部材８に配設された、後述する滑車部材である。
【００２４】
次に、図２を用いて、接地抵抗を測定するために、避雷針接地装置に配設された各部材について説明する。
【００２５】
Ｗは、リード線巻き取り部材であり、リード線巻き取り部材Ｗは、大地Ｇの地上に設置することも、また、主支持柱１に配設することもできる。図２には、リード線巻き取り部材Ｗが、大地Ｇの上面に載置されている例が示されている。リード線巻き取り部材Ｗは、大地Ｇに載置される水平部ｗ１と、水平部ｗ１の両端部から上方に延在する相対する垂直部ｗ２とを有している。また、相対する垂直部ｗ２には、適当な軸受けｗ３を介して、回転軸ｗ４が架橋されており、更に、回転軸ｗ４には、絶縁材からなるドラムｗ５が固定的に取り付けられている。なお更に、回転軸ｗ４には、ドラムｗ５を回転させるための回転ハンドルｗ６が配設されている。
【００２６】
Ｍは、接地電極の接地抵抗を測定するための公知の接地抵抗測定器であり、接地抵抗を測定する際には、接地抵抗測定器Ｍが、主支持柱１や副支持柱２付近に位置する大地Ｇに載置されているように構成されている。
【００２７】
次に、図３及び図４を用いて、主支持柱・副支持柱連結部材３等について説明する。
【００２８】
主支持柱１と副支持柱２とを連結する主支持柱・副支持柱連結部材３は、一対のバンド分割片３’を有しており、一方のバンド分割片３’には、主支持柱１に対して垂直な円筒状等の補助支持体３ａが、溶接等の適当な固着手段により取り付けられている。一対のバンド分割片３’の半円形状部３ｂを、主支持柱１の周壁に配置するとともに、互いに対向する、一対のバンド分割片３’の両端部に形成された取付片３ｃに形成された透孔３ｃ１に、直線状のボルトＢ１を挿通し、その後、ナット（図示されていない。）を螺合させることにより、主支持柱１に、一対のバンド分割片３’を取り付ける。
【００２９】
また、一方のバンド分割片３’に取着された補助支持体３ａには、公知のＵ字状ボルトＢ２とナットＮ２とからなるＵ字状ボルト・ナット固着部材Ｆ１により、板状の副支持柱支持体３ｄが取り付けられている。更に、補助支持体３ａには、Ｕ字状ボルト・ナット固着部材Ｆ１により、副支持柱２が取り付けられている。このようにして、主支持柱・副支持柱連結部材３により、主支持柱１と副支持柱２とが連結されている。
【００３０】
次に、図４〜図６を用いて、副支持柱・避雷導線連結部材８等について説明する。
【００３１】
副支持柱２には、上述した主支持柱・副支持柱連結部材３と同様に、一対のバンド分割片８’が取り付けられており、一方のバンド分割片８’には、副支持柱２に対して垂直に、円筒状等の補助支持体８ａが、溶接等の適当な固着手段により取り付けられている。副支持柱２への一対のバンド分割片８’の取り付けについては、一対のバンド分割片３’の主支持柱１と同じであるので、その詳細な説明は省略する。
【００３２】
８ｂは、補助支持体８ａの先端に、補助支持体８ａに対して垂直に固着された板状の避雷導線支持体である。図４に示されているように、避雷導線７は、上述したＵ字状ボルト・ナット固着部材Ｆ１を介して、副支持柱２に連結されるように構成されている。また、補助支持体８ａには、上述した導電性棒体用ガイド部材１３が、上述したＵ字状ボルト・ナット固着部材Ｆ１により、取り付けられている。
【００３３】
導電性棒体用ガイド部材１３は、Ｕ字状ボルト・ナット固着部材Ｆ１を介して、補助支持体８ａに取り付けられる垂直部１３ａと、垂直部１３ａの上端から延在する水平部１３ｂとから形成されている。水平部１３ｂには、導電性棒体１２が挿通される透孔１３ｃ１が穿設された絶縁体１３ｃが取り付けられており、絶縁体１３ｃの透孔１３ｃ１に挿通された導電性棒体１２は、導電性棒体用ガイド部材１３の導電部分に接触しないように構成されている。
【００３４】
導電性棒体用ガイド部材１３のうち、最下部に位置する導電性棒体用ガイド部材１３の水平部１３ｂの下方に位置する垂直部１３ａには、公知のボルト・ナット部材により、滑車部材Ｐが取り付けられている。滑車部材Ｐは、平面形状が略Ｕ字状の基台ｐ１と、基台ｐ１を構成する相対する垂直部ｐ１ａに架橋された軸部材ｐ１ｂに、回転自在に配設された滑車ｐ２とを有している。
【００３５】
上述したように、避雷針用支持部材５と避雷導線用接続端子１０との間に位置する導電性板部材９に取り付けられた接触端子部材１１は、水平部１１ａ１と垂直部１１ａ２からなる逆Ｌ字状前板１１ａと、導電性板部材９を挟んで、逆Ｌ字状前板１１ａの垂直部１１ａ２と対向する背板１１ｂとを有しており、逆Ｌ字状前板１１ａの垂直部１１ａ２と背板１１ｂとにより、導電性板部材９を挟持するように、ボルト・ナット等の適当な固着手段により固着することにより、接触端子部材１１が、導電性板部材９に、導電的に取り付けられている。
【００３６】
次に、図２、図７及び図８を用いて、接地電極（大地Ｇに埋設された避雷導線７の下端部に位置する下部中心導体７ｂ）の接地抵抗の測定について説明する。
【００３７】
測定用補助部材付きの避雷針接地装置を新規に設置する場合には、先ず最初に、大地Ｇ或いは主支持柱１に、リード線巻き取り部材Ｗを設置する。次に、適当なドラムに巻かれた公知のリード線Ｃを、該ドラムから引き出し、引き出されたリード線Ｃを、導電性棒体用ガイド部材１３のうちの最下部に位置する導電性棒体用ガイド部材１３に取り付けられた滑車部材Ｐの滑車ｐ２に、半周程度、巻き付けた後、リード線Ｃの先端部の絶縁被覆を剥離することにより露出された中心導体ｃ１を、公知の緊締バンドや緊締クリップ等の適当な緊締具Ｅにより、導電性棒体１２の下端部に取り付ける。その後、リード線Ｃを、更に、適当なドラムから引き出し、リード線Ｃを、図２に示されているように、リード線巻き取り部材Ｗのドラムｗ５に、適当回数、巻き付ける。このようにして、図２において、接地抵抗測定器Ｍのみが設置されていない状態とする。このようにして、避雷針接地装置を新規に設置する作業が終了する。
【００３８】
上述したような、避雷針接地装置を新規に設置した状態から、避雷導線７の接地抵抗を測定する際には、リード線巻き取り部材Ｗの回転ハンドルｗ６を回し、ドラムｗ５を回転させて、リード線Ｃを、更に、ドラムｗ５に巻き付けることにより、導電性棒体１２を上方に移動させて、図８に示されているように、導電性棒体１２の先端部を、接触端子部材１１の水平部１１ａ１に当接させる。このように導電性棒体１２の先端部が、接触端子部材１１の水平部１１ａ１に当接した状態を維持したまま、リード線Ｃの下端部を、避雷導線７の接地抵抗を測定する際、持ち込んだ接地抵抗測定器Ｍに接続するとともに、接地抵抗測定器Ｍのスイッチを、オンにして、避雷導線７の接地抵抗を読み取る。
【００３９】
避雷導線７の接地抵抗の測定後は、接地抵抗測定器Ｍのスイッチを、オフにし、その後、ドラムｗ５を、リード線Ｃのドラムｗ５への巻き付け方向と逆方向に回転させることにより、導電性棒体１２を下方に移動させて、導電性棒体１２の先端部を、接触端子部材１１の水平部１１ａ１から離反させて、図２に示されている元の状態に戻す。その後、リード線Ｃの下端部を、接地抵抗測定器Ｍから取り外す。
【００４０】
上述したように、図２において、接地抵抗測定器Ｍのみが設置されていない状態（接地抵抗測定準備状態）においては、図２に示されているように、導電性棒体１２に取り付けられたストッパー１２ａが、導電性棒体用ガイド部材１３の絶縁体１３ｃに当接し、導電性棒体１２の下方への移動が阻止されるように構成されている。また、接地抵抗測定準備状態においては、導電性棒体１２の先端部が、導電性板部材９に取り付けられた接触端子部材１１の逆Ｌ字状前板１１ａの水平部１１ａ１に当接しないように構成されている。
【００４１】
従来の避雷針接地装置においては、接地抵抗を測定する際（メインテナンスを行う際）、毎回、作業員が、鉄塔に昇り、導電性板部材９の先端部付近に配置された避雷導線用接続端子１０と避雷導線７との接続状態を解除しなければならず、また、接地抵抗の測定後は、作業員が、再度、鉄塔に昇り、導電性板部材９の先端部付近に配置された避雷導線用接続端子１０に、避雷導線７を接続しなければならない。しかし、本発明においては、作業員が、鉄塔に昇り、導電性板部材９に配置された避雷導線用接続端子１０と避雷導線７との接続状態を解除したり、再接続する必要がなく、地上で、避雷導線７の接地抵抗の測定を行なうことができるので、見張り員の配置等を含め、作業員の人数を減らすことができるとともに、作業員の安全性が確保でき、更に、避雷導線７の接地抵抗の測定作業に対する労力と時間を、大幅に低減することができる。
【００４２】
また、避雷導線用接続端子１０と避雷導線７との接続解除や再接続を行うために、従来の場合には、鉄塔の上端部での高所作業を行う必要があり、この高所作業のために、熟練作業員を手配する必要があるが、このような熟練作業員の手配や調整等に、多大な時間と労力が必要になるが、本発明においては、このような熟練作業員の手配が必要ではないので、避雷導線７の接地抵抗を測定するための労力と時間を、大幅に低減することができる。
【符号の説明】
【００４３】
１・・・・・・・・・・・・主支持柱
２・・・・・・・・・・・・副支持柱
３・・・・・・・・・・・・主支持柱・副支持柱連結部材
５・・・・・・・・・・・・避雷針用支持部材
７・・・・・・・・・・・・避雷導線
８・・・・・・・・・・・・副支持柱・避雷導線連結部材
１０・・・・・・・・・・・避雷導線用接続端子
１１・・・・・・・・・・・接続端子部材
１２・・・・・・・・・・・導電性棒体
１３・・・・・・・・・・・導電性棒体用ガイド部材
Ｃ・・・・・・・・・・・・リード線
Ｍ・・・・・・・・・・・・接地抵抗測定器
Ｐ・・・・・・・・・・・・滑車部材
Ｗ・・・・・・・・・・・・リード線巻き取り部材
【図１】
2014057440.tif 000003
【図２】
2014057440.tif 000004
【図３】
2014057440.tif 000005
【図４】
2014057440.tif 000006
【図５】
2014057440.tif 000007
【図６】
2014057440.tif 000008
【図７】
2014057440.tif 000009
【図８】
2014057440.tif 000010